(57)【要約】【課題】画面内の輝度の不均一を抑えることが可能な表示装置を提供する。【解決手段】表示パネルと、同方向に並べられた複数の第１発光部および前記複数の第１発光部どうしを繋ぐ第２発光部を有する照明部材と、前記照明部材の前記第２発光部に設けられた遮光部材とを備えた表示装置。【選択図】図７
2013050649.tif 000002
【特許請求の範囲】
【請求項１】
表示パネルと、
同方向に並べられた複数の第１発光部および前記複数の第１発光部どうしを繋ぐ第２発光部を有する照明部材と、
前記照明部材の前記第２発光部に設けられた遮光部材と
を備えた表示装置。
【請求項２】
前記表示パネルの背面側に、前記照明部材が取り付けられた後部筐体を備え、
前記遮光部材は、前記後部筐体における前記第２発光部の周囲の位置に貼り付けられた、白以外の無彩色または有彩色の接着テープである
請求項１記載の表示装置。
【請求項３】
後部筐体の内面に反射シートを備え、
前記反射シートは、第２発光部の周囲の位置に開口を有し、
前記遮光部材は、前記開口内に露出した前記後部筐体である
請求項１記載の表示装置。
【請求項４】
前記遮光部材は、前記第２発光部を被覆する、白以外の無彩色または有彩色の管状部材である
請求項１記載の表示装置。
【請求項５】
前記遮光部材は、前記第２発光部に巻き付けられた、白以外の無彩色または有彩色の接着テープである
請求項１記載の表示装置。
【発明の詳細な説明】
【技術分野】
【０００１】
本開示は、液晶テレビジョン装置などの表示装置に関する。
【背景技術】
【０００２】
液晶テレビジョン装置などの表示装置では、液晶パネルの後方に、直線状のランプが並べて配置されている。ランプの両端部は、サイドモールドと呼ばれる成型部品で被覆されている（例えば、特許文献１参照。）。
【先行技術文献】
【特許文献】
【０００３】
【特許文献１】特開２００６−１８５９０８号公報
【発明の概要】
【発明が解決しようとする課題】
【０００４】
ところで、ランプがＵ字形である場合には、Ｕ字形の繋がっていない方の端部（開放端）にはバランサー基板とのコネクタが設けられており、コネクタをサイドモールドで隠す必要がある。一方、Ｕ字形の繋がっている方の端部（閉鎖端）は直線部と同様に発光しており、必ずしもサイドモールドで被覆する必要はない。しかしながら、閉鎖端をサイドモールドで被覆しないようにした場合には、開放端に比べてランプの露出が多くなるので、閉鎖端側のほうが開放端側よりも輝度が高くなり、画面内で輝度が不均一になるおそれがあった。
【０００５】
本開示の目的は、画面内の輝度の不均一を抑えることが可能な表示装置を提供することにある。
【課題を解決するための手段】
【０００６】
本開示の表示装置は、以下の（Ａ）〜（Ｃ）の構成要素を備えたものである。
（Ａ）表示パネル
（Ｂ）同方向に並べられた複数の第１発光部および複数の第１発光部どうしを繋ぐ第２発光部を有する照明部材
（Ｃ）照明部材の第２発光部に設けられた遮光部材
【０００７】
本開示の表示装置では、照明部材の第２発光部に遮光部材が設けられているので、第２発光部からの光は遮光部材によって遮光され、第１発光部からの光により表示パネルが均一な輝度で照明される。
【発明の効果】
【０００８】
本開示の表示装置によれば、照明部材の第２発光部に遮光部材を設けるようにしたので、第２発光部からの光に起因する画面内の輝度の不均一を抑えることが可能となる。
【図面の簡単な説明】
【０００９】
【図１】本開示の一実施の形態に係る表示装置の外観を表す斜視図である。
【図２】図１に示した本体部を分解して表す斜視図である。
【図３】図２に示したパネルモジュールを分解して表す斜視図である。
【図４】図３に示した後部筐体（バックシャーシ）の内側に、照明部材，反射シートおよびサイドモールドを配置した状態を表す平面図である。
【図５】図４に示した照明部材の一つを拡大して表す斜視図である。
【図６】図４に示したランプホルダーの一部を拡大して表す斜視図である。
【図７】図３に示した照明部材の第２発光部近傍を拡大して表す斜視図および断面図である。
【図８】変形例１に係る遮光部材の構成を表す斜視図である。
【図９】変形例２に係る遮光部材の構成を表す斜視図である。
【図１０】変形例３に係る遮光部材の構成を表す断面図である。
【図１１】図１０に示した遮光部材の一例を表す平面図である。
【図１２】図１０に示した遮光部材の他の例を表す平面図である。
【図１３】表示装置の適用例１の外観を表す斜視図である。
【発明を実施するための形態】
【００１０】
以下、本開示の実施の形態について図面を参照して詳細に説明する。なお、説明は以下の順序で行う。
１．実施の形態（遮光部材が、後部筐体における第２発光部の周囲の位置に貼り付けられた黒色接着テープである例）
２．変形例１（遮光部材が、第２発光部に被せられた黒色ゴムチューブである例）
３．変形例２（遮光部材が、第２発光部に巻き付けられた黒色接着テープである例）
４．変形例３（遮光部材が、反射シートの開口内に露出した黒色の後部筐体である例）
５．適用例
【００１１】
図１は、本開示の一実施の形態に係る表示装置の外観を表したものである。この表示装置１は、例えば薄型テレビジョン装置として用いられるものであり、画像表示のための平板状の本体部２をスタンド３により支持した構成を有している。なお、表示装置１は、スタンド３を本体部２に取付けた状態で、床，棚または台などの水平面に載置して据置型として用いられるが、スタンド３を本体部２から取り外した状態で壁掛型として用いることも可能である。
【００１２】
図２は、図１に示した本体部２を分解して表したものである。本体部２は、例えば、前面側（視聴者側）から、前部外装部材（ベゼル）１１，パネルモジュール１２および後部外装部材（リアカバー）１３をこの順に有している。前部外装部材１１は、パネルモジュール１２の前面周縁部を覆う額縁状の部材であり、下方には一対のスピーカー１４が配置されている。パネルモジュール１２は前部外装部材１１に固定され、その背面には電源基板１５および信号基板１６が実装されると共に取付金具１７が固定されている。取付金具１７は、壁掛けブラケットの取付、基板等の取付およびスタンド３の取付のためのものである。後部外装部材１３は、パネルモジュール１２の背面および側面を被覆している。
【００１３】
図３は、図２に示したパネルモジュール１２を分解して表したものである。パネルモジュール１２は、例えば、前面側（視聴者側）から、前部筐体（トップシャーシ）２１，表示パネル２２，中間筐体（ミドルシャーシ）２３，光学シート２４，照明部材２５，反射シート２６，サイドモールド２７，後部筐体（バックシャーシ）２８，バランサー基板２９，バランサーカバー３０およびタイミングコントローラ基板３１をこの順に有している。
【００１４】
前部筐体２１は、表示パネル２１の前面周縁部を覆う枠状の金属部品である。表示パネル２２は、例えば、液晶セル２２Ａと、ソース基板２２Ｂと、これらを接続するＣＯＦ（Chip On Film）などの可撓性基板２２Ｃとを有している。中間筐体２３は、表示パネル２１および光学シート２４を保持する枠状の樹脂部品である。光学シート２４は、拡散板などの樹脂板である。照明部材２５は、例えば複数（図３では例えば４本）のＵ字形の冷陰極管により構成されている。反射シート２６は、照明部材２５からの光を表示パネル２２側へ反射させるためのものであり、後部筐体２８の内側の底面および三つの側面に設けられている。サイドモールド２７は、照明部材２５のコネクタを隠すための成型部品であり、後部筐体２８の内側の一つの側面に設けられている。後部筐体２８は、表示パネル２２ないしサイドモールド２７を収容する、鉄（Ｆｅ）等よりなる金属部品である。バランサー基板２９は、照明部材２５を制御するためのものであり、図２に示したように、後部筐体２８の背面に実装されると共にバランサーカバー３０により覆われている。タイミングコントローラ基板３１もまた、後部筐体２８の背面に実装されている。
【００１５】
図４は、図３に示した後部筐体２８の内側に、照明部材２５，反射シート２６およびサイドモールド２７を配置した状態を表したものである。照明部材２５は、例えば、Ｕ字形の冷陰極管により構成され、図５に示したように、同方向に並べられた直線状の複数（図５では例えば２本）の第１発光部２５Ａと、複数の第１発光部２５Ａどうしを繋ぐ第２発光部２５Ｂとを有している。第１発光部２５Ａの先端部２５Ｃは、バランサー基板２９に実装されたコネクタ（図示せず）に接続される部分である。照明部材２５は、図４に示したように、反射シート２６上に、白色樹脂よりなるランプホルダー３２により支持されて並べて配置されている。コネクタ２５Ｃは、サイドモールド２７により隠されている。
【００１６】
ランプホルダー３２は、後部筐体２８の底面の例えば４箇所に配置されている。ランプホルダー３２は、例えば、図６に示したように、後部筐体２８の底面に固定された固定部３２Ａに、円弧部３２Ｂと、針部３２Ｃとを有している。円弧部３２は、内周面に設けられた３箇所の突起（図示せず）により照明部材２５を点接触状態で保持するようになっている。針部３２Ｃは、後部筐体２８と光学シート２４との間隔を保持するスペーサとしての機能を有するものである。
【００１７】
図７は、図３に示した照明部材２５の第２発光部２５Ｂ近傍を拡大して表したものである。照明部材２５の第２発光部２５Ｂには、遮光部材４０が設けられている。これにより、この表示装置１では、画面内の輝度の不均一を抑えることが可能となっている。
【００１８】
具体的には、遮光部材４０は、後部筐体２８における第２発光部２５Ｂの周囲の位置に貼り付けられた黒色接着テープである。黒色接着テープとしては、市販の黒色のＰＥＴ（ポリエチレンテレフタレート）製粘着テープ等を使用することが可能である。遮光部材４０は、黒色のほか灰色（グレー）等でもよく、白以外の無彩色または有彩色であれば特に限定されない。なお、後部筐体２８の底面および三方の側面には上述したように反射シート２６が敷き詰められているので、遮光部材４０である黒色接着テープは後部筐体２８自体ではなく反射シート２６に貼り付けられていることは言うまでもない。
【００１９】
遮光部材４０は、例えば、後部筐体２８における第２発光部２５Ｂの下の位置、より望ましくは直下の位置に貼り付けられている。遮光部材４０の外側（幅方向左側）の端は、第２発光部２５Ｂの外側の端に合わせられていることが望ましい。また、遮光部材４０は、第２発光部２５Ｂの長手方向全体にわたって設けられていることが好ましい。遮光部材４０が第２発光部２５Ｂの縦の長さを超えない（すなわち、遮光部材４０が第１発光部２５Ａにかからない）ほうが、輝度むらを生じにくくすることが可能となるからである。
【００２０】
具体的には、遮光部材４０である黒色接着テープの幅は例えば１０ｍｍであり、長さは例えば４０ｍｍである。照明部材２５の直径は例えば４ｍｍであり、二本の第１発光部２５Ａの間隔（ピッチ）は例えば４５ｍｍである。照明部材２５の中心から反射シート２６までの距離は例えば６．５ｍｍである。
【００２１】
この表示装置１は、例えば、次のようにして製造することができる。
【００２２】
まず、パネルモジュール１２を作製する。例えば、後部筐体２８の内側の底面にランプホルダー３２の固定部３２Ａを固定し、後部筐体２８の底面および三方の側面に反射シート２６を敷き詰める。次いで、ランプホルダー３２の円弧部３２Ｂに照明部材２５を嵌め込んで保持させ、コネクタ２５Ｃをサイドモールド２７で隠す。また、反射シート２６における、照明部材２５の第２発光部２５Ｂの下の位置、望ましくは直下の位置に、黒色接着テープよりなる遮光部材４０を貼り付ける。
【００２３】
続いて、ランプホルダー３２の針部３２Ｃの上に光学シート２４を載せる。そののち、後部筐体２８の上端部に中間筐体２３を載せ、中間筐体２３に表示パネル２２を設置し、表示パネル２２の前面周縁部に前部筐体２１を固定する。また、後部筐体２８の裏面にバランサー基板２９およびタイミングコントローラ基板３１を実装し、バランサー基板２９をバランサーカバー３０で覆う。
【００２４】
パネルモジュール１２を作製したのち、前部外装部材１１にスピーカー１４およびパネルモジュール１２を取り付ける。続いて、パネルモジュール１２の背面に電源基板１５および信号基板１６を実装し、取付金具１７を固定する。そののち、パネルモジュール１２の背面および側面を後部外装部材１３で被覆する。
【００２５】
このようにして、図１に示した本体部２が形成される。最後に、本体部２の背面にスタンド３を取り付けることにより、図１に示した表示装置１が完成する。
【００２６】
この表示装置１では、照明部材２５からの光は、直接、または反射シート２６により反射され、光学シート２４により均一に拡散されて表示パネル２２の液晶セル２２Ａに入射する。この入射光は、偏光板（図示せず）を通過した後、液晶セル２２Ａの一対の基板（図示せず）間に印加された映像電圧に基づいて画素毎に変調されつつ液晶層（図示せず）を透過する。液晶層を透過した光は、カラーフィルタ（図示せず）を通過することにより、カラーの表示光として偏光板（図示せず）の外側へ取り出される。
【００２７】
ここでは、後部筐体２８における第２発光部２５Ｂの下の位置、望ましくは直下の位置に、遮光部材４０として黒色接着テープが貼り付けられているので、第２発光部２５Ｂからの光は、遮光部材４０である黒色接着テープに吸収される。よって、第２発光部２５Ｂからの光は遮光部材４０により遮光され、第１発光部２５Ａからの光により表示パネル２２が均一な輝度で照明される。
【００２８】
これに対して、遮光部材４０を設けない場合には、表示パネル２２の右側は第１発光部２５Ａのみによって照明されるのに対して、左側は第１発光部２５Ａおよび第２発光部２５Ｂの両方によって照明されるので、画面左右で輝度が不均一となる。本実施の形態では、第２発光部２５Ｂに遮光部材４０が設けられているので、このような画面左右の明るさの差が補正ないし調整され、画面内の輝度の不均一が低減される。
【００２９】
このように本実施の形態では、照明部材２５の第２発光部２５Ｂに遮光部材４０を設けるようにしたので、第２発光部２５Ｂからの光に起因する画面内の輝度の不均一を抑えることが可能となる。
【００３０】
（変形例１）
なお、上記実施の形態では、遮光部材４０が、後部筐体２８における第２発光部２５Ｂの下の位置、望ましくは直下の位置に貼り付けられた黒色接着テープである場合について説明したが、遮光部材４０は、例えば図８に示したように、第２発光部２５Ｂを被覆する管状部材、具体的には黒色または灰色など、白以外の無彩色または有彩色のゴムチューブとすることも可能である。このようにすれば、第２発光部２５Ｂからの光を遮光部材４０により直接遮光し、画面内の輝度の不均一を更に低減することが可能となる。
【００３１】
（変形例２）
また、遮光部材４０は、例えば図９に示したように、第２発光部２５Ｂに巻き付けられた、黒色または灰色など、白以外の無彩色または有彩色の接着テープとすることも可能である。これにより、第２発光部２５Ｂからの光を遮光部材４０により直接遮光し、画面内の輝度の不均一を更に低減することが可能となる。
【００３２】
（変形例３）
更に、上記実施の形態では反射シート２６に遮光部材４０としての黒色接着テープを貼る場合について説明したが、例えば図１０に示したように、反射シート２６に開口２６Ａを設け、開口２６Ａ内に後部筐体２８を露出させるようにすることも可能である。後部筐体２８の表面は鉄（Ｆｅ）などの金属色を有しているので、開口２６Ａ内に露出した後部筐体２８を遮光部材４０として、黒色接着テープと同様に第２発光部２５Ｂからの光を吸収させ、画面内の輝度の不均一を低減することが可能となる。
【００３３】
開口２６Ａの位置や寸法は、上記実施の形態の黒色接着テープと同様である。開口２６Ａの平面形状は、例えば図１１に示したように黒色接着テープと同様の四角形とすることも可能であるし、また、例えば図１２に示したように、複数の小孔の集合とすることも可能である。
【００３４】
なお、変形例１または変形例２と上記実施の形態または変形例３とを組み合わせることも可能である。また、遮光部材４０の具体的な態様については、上記実施の形態または変形例１ないし３に限られるものではなく、第２発光部２５Ｂからの光を吸収または遮光可能である限り他の形態を有していることも可能である。
【００３５】
（適用例）
続いて、表示装置１の適用例について説明する。表示装置１は、上述したテレビジョン装置のほか、デジタルカメラ，ノート型パーソナルコンピュータ、携帯電話やスマートホン等の携帯端末装置あるいはビデオカメラなどのあらゆる分野の電子機器に適用することが可能である。言い換えると、この表示装置１は、外部から入力された映像信号あるいは内部で生成した映像信号を、画像あるいは映像として表示するあらゆる分野の電子機器に適用することが可能である。
【００３６】
（適用例１）
図１３は、表示装置１が適用されるノート型パーソナルコンピュータの外観を表したものである。このノート型パーソナルコンピュータは、例えば、本体１１０，文字等の入力操作のためのキーボード１２０および画像を表示する表示部１３０を有しており、この表示部１３０が表示装置１により構成されている。
【００３７】
以上、実施の形態を挙げて本開示を説明したが、本開示は上記実施の形態に限定されるものではなく、種々の変形が可能である。例えば、上記実施の形態では、反射シート２６に遮光部材４０として黒色接着テープを貼り付ける場合について説明したが、反射シート２６に印刷法により黒色、灰色などの白以外の着色領域を設けることにより、黒色接着テープと同様の光吸収または遮光の機能をもたせることも可能である。
【００３８】
また、遮光部材４０は、後部筐体２８における第２発光部２５Ｂの下の位置に代えて、またはこれに加えて、後部筐体２８の側面における第２発光部２５Ｂの横の位置に貼り付けられていてもよい。
【００３９】
更に、例えば、上記実施の形態において説明した各層の材料および厚みなどは限定されるものではなく、他の材料および厚みとしてもよい。
【００４０】
加えて、例えば、上記実施の形態において表示装置（テレビジョン装置）の構成を具体的に挙げて説明したが、全ての構成要素を備える必要はなく、また、他の構成要素を更に備えていてもよい。例えば、上記実施の形態では後部筐体２８とは別に後部外装部材１３を設ける場合について説明したが、後部外装部材１３が後部筐体２８を兼ねるようにすることも可能である。
【００４１】
なお、本技術は以下のような構成を取ることも可能である。
（１）
表示パネルと、
同方向に並べられた複数の第１発光部および前記複数の第１発光部どうしを繋ぐ第２発光部を有する照明部材と、
前記照明部材の前記第２発光部に設けられた遮光部材と
を備えた表示装置。
（２）
前記表示パネルの背面側に、前記照明部材が取り付けられた後部筐体を備え、
前記遮光部材は、前記後部筐体における前記第２発光部の周囲の位置に貼り付けられた、白以外の無彩色または有彩色の接着テープである
前記（１）記載の表示装置。
（３）
後部筐体の内面に反射シートを備え、
前記反射シートは、第２発光部の周囲の位置に開口を有し、
前記遮光部材は、前記開口内に露出した前記後部筐体である
前記（１）記載の表示装置。
（４）
前記遮光部材は、前記第２発光部を被覆する、白以外の無彩色または有彩色の管状部材である
前記（１）ないし（３）のいずれか１項に記載の表示装置。
（５）
前記遮光部材は、前記第２発光部に巻き付けられた、白以外の無彩色または有彩色の接着テープである
前記（１）ないし（３）のいずれか１項に記載の表示装置。
【符号の説明】
【００４２】
１…表示装置、２…本体部、３…スタンド、１１…前部外装部材（ベゼル）、１２…パネルモジュール、１３…後部外装部材（リアカバー）、１４…スピーカー、１５…電源基板、１６…信号基板、１７…取付金具、２１…前部筐体（トップシャーシ）、２２…表示パネル、２２Ａ…液晶セル、２２Ｂ…ソース基板、２２Ｃ…可撓性基板、２３…中間筐体（ミドルシャーシ）、２４…光学シート、２５…照明部材、２６…反射シート、２７…サイドモールド、２８…後部筐体（バックシャーシ）、２９…バランサー基板、３０…バランサーカバー、３１…タイミングコントローラ基板、４０…遮光部材。
【図１】
2013050649.tif 000003
【図２】
2013050649.tif 000004
【図３】
2013050649.tif 000005
【図４】
2013050649.tif 000006
【図５】
2013050649.tif 000007
【図６】
2013050649.tif 000008
【図７】
2013050649.tif 000009
【図８】
2013050649.tif 000010
【図９】
2013050649.tif 000011
【図１０】
2013050649.tif 000012
【図１１】
2013050649.tif 000013
【図１２】
2013050649.tif 000014
【図１３】
2013050649.tif 000015